(57)【特許請求の範囲】
【請求項１】
紙基材シート層の表裏面側に少なくとも合成樹脂フィルム層を貼り合わせ、容器の内面側となるその一方面にアルミニウム箔層を介して合成樹脂フィルム層を貼り合わせた複合シートにより形成された液体紙容器本体の最外面側若しくは最内面側より、該容器本体に取り付けられた口栓部のフランジ部周囲にハーフカットが刻切されていることを特徴とする口栓付き液体紙容器。
【請求項２】
前記液体紙容器本体の外面側より刻切されている前記ハーフカットが、少なくとも該容器本体の外面側の合成樹脂フィルム層、若しくは該合成樹脂フィルム層と紙基材シート層との貼り合わせ界面、若しくは該紙基材シート層まで到達するように刻切されている請求項１記載の口栓付き液体紙容器。
【請求項３】
前記液体紙容器本体の内面側より刻切されている前記ハーフカットが、少なくとも該容器本体の内面側の合成樹脂フィルム層、若しくは該合成樹脂フィルム層とアルミニウム箔層との貼り合わせ界面まで到達するように刻切されている請求項１記載の口栓付き液体紙容器。
【発明の詳細な説明】
【０００１】
【発明の属する技術分野】
本発明は、液体包装用の紙を主体とする合成樹脂フィルムとの複合シートによる液体紙容器に関し、詳しくは該容器のリサイクル性を考慮して、該容器本体に取り付けられたプラスチック製の口栓部を該容器本体から容易に分離可能にした口栓付き液体紙容器に関する。
【０００２】
【従来の技術】
従来の上記口栓付き液体紙容器の容器本体は、紙基材シートの表裏面に合成樹脂フィルムやアルミニウム箔などを貼り合わせた複合シートにより、液体包装用の容器として形成されている。
【０００３】
容器本体の形態しては各種形態があるが、一般的に容器本体の上部などには、充填包装された液体内容物を抽出するための抽出用の口栓（抽出口部と、それを施蓋するキャップ部）を備え、該口栓は、一般的に抽出口部とフランジ部とを備え、該容器本体の外面に、若しくは該口栓を容器内側から外面に突出するように装通してその容器内面に、それぞれ前記フランジ部を貼着して取り付けられている。
【０００４】
上記口栓は、通常はプラスチックを材料として成形により作成されているために、容器使用後において容器本体を廃棄する際は、容器本体からプラスチック製の口栓だけを分離除去して、紙を主体とする前記容器だけを別途再生処理加工することが必要となる。
【０００５】
【発明が解決しようとする課題】
しかしながら、上記再生処理加工のための容器本体からの口栓の分離操作は、そのままの容器の状態から口栓を取り外すそうとした場合は、容易には分離できず、時間と労力を必要としていた。
【０００６】
本発明は、上記のような液体包装用の口栓付き液体紙容器を、使用後において再生処理や廃棄処理する場合に、紙基材シートを主体とする複合シートにより形成された容器本体から、プラスチック製の口栓部分を従来よりも容易に分離除去できるようにすることにある。
【０００７】
【課題を解決するための手段】
本発明は、紙基材シート層の表裏面側に少なくとも合成樹脂フィルム層を貼り合わせ、容器の内面側となるその一方面にアルミニウム箔層を介して合成樹脂フィルム層を貼り合わせた複合シートにより形成された液体紙容器本体の最外面側若しくは最内面側より、該容器本体に取り付けられた口栓部のフランジ部周囲にハーフカットが刻切されていることを特徴とする口栓付き液体紙容器である。
【０００８】
また本発明は、上記発明の口栓付き液体紙容器において、前記液体紙容器本体の外面側より刻切されている前記ハーフカットが、少なくとも該容器本体の外面側の合成樹脂フィルム層、若しくは該合成樹脂フィルム層と紙基材シート層との貼り合わせ界面、若しくは該紙基材シート層まで到達するように刻切されている口栓付き液体紙容器である。
【０００９】
また本発明は、上記発明の口栓付き液体紙容器において、前記液体紙容器本体の内面側より刻切されている前記ハーフカットが、少なくとも該容器本体の内面側の合成樹脂フィルム層若しくは該合成樹脂フィルム層とアルミニウム箔層との貼り合わせ界面まで到達するように刻切されている口栓付き液体紙容器である。
【００１０】
【発明の実施の形態】
〔外付け口栓部付き液体紙容器〕
本発明を、外付け口栓部を備えた口栓付き液体紙容器の実施の形態に従って以下に詳細に説明する。
【００１１】
図１は、外付け口栓部を備えた本発明の口栓付き液体紙容器の全体外観斜視図であり、液体包装用の紙基材シートを主体とする合成樹脂フィルムなどとの積層による複合シートにより形成された容器本体Ａ（例えばゲーブルトップ型）と、該容器本体Ａの上部（トップ部）などの外面に取り付けられたプラスチック製の口栓部Ｂとにより構成される。なお、口栓部Ｂは、容器本体Ａの外面に取り付けられた外付け口栓部であり、施蓋できるように別体、若しくは一体化されたキャップなど施蓋部Ｃを備える。
【００１２】
図示するように外付け用の口栓部Ｂは、抽出口部１１と、フランジ部１２（張出部）を備え、該フランジ部１２の下面を容器本体Ａの外面板の一部をなす、例えば上部板Ａ1 の外面に接着剤又は融着により一体的に取り外しできないように強固に取り付けられている。
【００１３】
抽出口部１１には、外側からキャップなど施蓋部Ｃが螺着若しくは嵌合可能に装着されて施蓋できるようになっている。
【００１４】
本発明においては、外付け用の口栓部Ｂを取り付けた容器本体Ａの外面板の一部をなす前記上部板Ａ1 に対して、その外面側からハーフカット２１が刻切されている。
【００１５】
ハーフカット２１は、外付け用の口栓部Ｂを容器本体Ａから取り除くためのものであり、液体包装用として十分に機能する程度にハーフカッティングされ、ハーフカット２１は、連続線状、点線状、断続線状、部分線状などのいずれでもよく、その線の長さや形状や太さは、口栓部Ｂを容器本体Ａから取り除くことができる程度の最小限の長さ、形状、太さであれば十分である。
【００１６】
〔外付け口栓付き容器本体のハーフカットその１〕
ハーフカット２１は、図１に示すように、前記口栓部Ｂのフランジ部１２の外周に沿って容器本体Ａの外面板Ａ1 の外面に連続線状に刻切されている。
【００１７】
〔外付け口栓付き容器本体のハーフカットその２〕
ハーフカット２１は、図３に示すように、前記容器本体Ａの外面板Ａ1 の外面に、口栓部Ｂのフランジ部１２外周に沿って若しくは外周より僅か外側に沿って刻切されるが、そのハーフカット２１の一部は、フランジ部１２の外周より外方に突出するように刻切されてタブ２２を備え、該タブ２２は、口栓部Ｂを取り付けた容器本体Ａの外面板Ａ1 上に刻切されていてもよいし、あるいは図３に示すように、容器本体Ａを構成する外面板の外面板Ａ1 に隣接する他の一部Ａ2 まで延設されていてもよい。
【００１８】
〔外付け口栓付き容器本体のハーフカットその３〕
ハーフカット２１は、図３に示す前記容器本体Ａの外面板Ａ1 若しくはそれに隣接する他の外面板の口栓部Ｂ近傍の適宜位置にその外面側より、連続線状又は点線状又は断続線状にタブ２２の部分のみの形状にハーフカット２１を刻切するようにしてもよい。
【００１９】
〔容器本体と外付け用の口栓部について〕
図２（ａ）は、外付け用の口栓部Ｂと、該口栓部Ｂを取り付けた容器本体Ａを構成する外面板（例えば外面板Ａ1 ）の部分側断面図であり、前記口栓部Ｂの抽出口部１１内に貫設されている液体抽出用の孔設部１１ａの真下に相当する外面板Ａ1 には孔設部２３が貫設され、口栓部Ｂのフランジ部１２は、その孔設部２３の周囲外面に重ね合わせ、接着剤又は熱融着により貼着して取り付けられている。
【００２０】
図２（ｂ）は、他の外付け用の口栓部Ｂと、該口栓部Ｂを取り付けた容器本体Ａを構成する外面板（例えば外面板Ａ1 ）の部分側断面図であり、該口栓部Ｂの抽出口部１１内に貫設されている液体抽出用の孔設部１１ａの真下に相当する外面板Ａ1 には孔設部２３が貫設され、口栓部Ｂのフランジ部１２は、その孔設部２３の周囲外面に、リング状フィルム３７（アンカーフィルム）を介して重ね合わせ、接着剤又は熱融着により貼着して取り付けられ、該孔設部２３の周囲内面には、内貼りフィルム３８（アルミニウム箔、合成樹脂製薄膜）が接着剤又は熱融着により貼着されている。
【００２１】
該口栓部Ｂはその抽出口部１１の孔設部１１ａ内周面に連続して設けたリニアガイドに沿って上下方向にスライド移動可能な円筒体１４を内部に取り付けたものである。
【００２２】
この口栓部Ｂは、容器本体Ａの外面板Ａ1 に予め孔設されている液体抽出用の孔設部２３を密閉シールしたシール用の内貼りフィルム３８（アルミニウム箔、合成樹脂製薄膜）などを備えた形式の液体紙容器本体Ａの口栓として使用する。
【００２３】
上記円筒体１４は、口栓部Ｂの抽出口部１１外周に施蓋部Ｃが螺着して施蓋されている時点では上止位置にあり、回転によって施蓋部Ｃを弛めて口栓部Ｂより離蓋させる際に、該施蓋部Ｃの内部に一体に垂直方向に設けたカムシャフト（図示せず）が回転し、円筒体１４に設けたカムシャフトの外周に備えるカムと嵌合するカムフォロアにより、該円筒体１４を下止位置に下降動作させて、該円筒体１４の下端部にある鋸歯状の刃部によって下方にある内貼りフィルム３８を破断させて開封するための開封装置を備えた口栓部Ｂである。
【００２４】
図２（ｃ）は、図２（ｂ）に示したものと同様の外付け用の口栓部Ｂと、該口栓部Ｂを取り付けた容器本体Ａを構成する外面板（例えば外面板Ａ1 ）の部分側断面図であり、該口栓部Ｂの抽出口部１１内に貫設されている液体抽出用の孔設部１１ａの真下に相当する外面板Ａ1 には孔設部２３が貫設され、口栓部Ｂのフランジ部１２は、その孔設部２３の周囲外面に、リング状フィルム３７（アンカーフィルム）を介して重ね合わせ、接着剤又は熱融着により貼着して取り付けられ、該孔設部２３の周囲内面には、内貼りフィルム３８（アルミニウム箔、合成樹脂製薄膜）が接着剤又は熱融着により貼着され、前記リング状フィルム３７の張り出し内周下面と、内貼りフィルム３８上面とは互いに接着剤又は熱融着により貼着されている。
【００２５】
〔外付け口栓付き容器本体の複合シートについて〕
外付け口栓付き容器本体Ａを構成する外面板Ａ1 を形成する複合シート３０の積層構造は、少なくとも、紙基材シートと、その両面にラミネートされた１層乃至複数層の合成樹脂フィルム層とにより構成される。
【００２６】
図２（ａ）に示すように、例えば、紙基材シート層３１と、その両面にラミネートされたそれぞれポリエチレンフィルム層３２、３３と、容器本体Ａの内面側に相当する一方のポリエチレンフィルム層３３に順にラミネートされたアルミニウム箔層３４と、ポリエチレンテレフタレートフィルム層３５と、ポリエチレン層３６となっている。
【００２７】
なお、容器本体Ａを形成する複合シート３０は、この他に各種積層構造のものが使用でき、本発明においては特に限定されるものではない。
【００２８】
〔外付け用の口栓部の材料〕
図２（ａ）に示すように、上記複合シート３０により形成された外付け口栓付き容器用の容器本体Ａの外面板Ａ1 は、最外面にポリエチレンフィルム層３２を備え、口栓部Ｂは該ポリエチレンフィルム層３２上に貼着固定されるため、口栓部Ｂの材料若しくは少なくともそのフランジ部１２の下面を構成する材料には、ポリエチレン樹脂若しくはこの樹脂に対して接着性、融着性のある材料が使用される。
【００２９】
なお、複合シート３０の最外面に、ポリエチレンフィルム層３２に換えて、例えばポリエチレンテレフタレートフィルム層を積層した場合は、口栓部Ｂの材料若しくは少なくともそのフランジ部１２の下面を構成する材料として、ポリエチレンテレフタレート樹脂若しくはこの樹脂に対して接着性、融着性のある材料（ブレンド樹脂など）が使用される。
【００３０】
〔外付け口栓部におけるハーフカットの詳細〕
ハーフカット２１は、図２（ａ）に示すように、少なくとも、口栓部Ｂを取り付けた外面板Ａ1 の最外面の合成樹脂フィルム層であるポリエチレンフィルム層３２と紙基材シート層３１との貼り合わせ界面、若しくは該紙基材シート層３１まで到達するように刻切されている
【００３１】
〔外付け口栓部の除去〕
本発明の外付け口栓付き液体紙容器の容器本体Ａから、口栓部Ｂを取り除く際は、図２（ａ）に示すように、不用となった容器本体Ａの外面板Ａ1 における口栓部Ｂのフランジ部１２を僅かに外れた外側領域の一部を、容器本体内方に向かって押さえながら、前記押さえた領域側の突出する口栓部Ｂの抽出口部１１の先端部を、前記押さえた領域側と反対の方向の横方向に押すことにより、口栓部Ｂ全体を横に倒すようにして、口栓部Ｂのフランジ部１２を貼着した最外面の合成樹脂フィルム層３２を引っ張る。
【００３２】
また、上記容器本体Ａから口栓部Ｂを取り除く際は、容器本体Ａの外面板Ａ1 における口栓部Ｂのフランジ部１２を僅かに外れた外側領域全体を、容器本体内方に向かって押さえながら、突出する口栓部Ｂの抽出口部１１の先端部を前後左右に揺動し口栓部Ｂ全体を横に倒すようにして、口栓部Ｂのフランジ部１２を貼着した最外面の合成樹脂フィルム層３２を引っ張る。
【００３３】
また、上記容器本体Ａから口栓部Ｂを取り除く際は、容器本体Ａの外面板Ａ1 に刻切されたハーフカット２１の一部分より、ハーフカット２１端部、又はタブ２２端部を、爪などにより立ち起こして、口栓部Ｂのフランジ部１２を貼着した最外面の合成樹脂フィルム層３２及び紙基材シート層３１の端部を引っ張る。
【００３４】
これにより、外付け用の口栓部Ｂのフランジ部１２を貼着した最外面の合成樹脂フィルム層３２及び紙基材シート層３１は引っ張られて、図２（ｄ）に示すように、ハーフカット２１部分より紙基材シート層３１の層内は凝集破壊を生じて分断して、口栓部Ｂは、容器本体Ａの外面板Ａ1 から取り除かれる。
【００３５】
〔内付け口栓付き液体紙容器〕
次に、本発明を、内付け用の口栓部を備えた口栓付き液体紙容器の実施の形態に従って以下に詳細に説明する。
【００３６】
図４は、内付け用口栓部を備えた本発明の口栓付き液体紙容器の全体外観斜視図であり、容器本体Ａとしては、その容器形成に使用する紙基材シート層を主体とする複合シートとしてアルミニウム箔層を必須要件として備えていること以外は前述の外付け口栓付き液体紙容器とほぼ同様であって特に限定はされない。
【００３７】
また、内付け用の口栓部Ｂとしては、その構造そのものは前述の内付け用の口栓部Ｂとほぼ同様のものであり特に限定はされない。そして、施蓋部Ｃも同様である。
【００３８】
図示するように、内付け用の口栓部Ｂは、外付け用と同様に抽出口部１１と、フランジ部１２（張出部）を備え、該フランジ部１２の上面を容器本体Ａの外面板の一部をなす、例えば上部板Ａ1 の内面に接着剤又は融着により貼着することにより一体的に取り外しできないように強固に取り付けられている。
【００３９】
抽出口部１１には、外側からキャップなど施蓋部Ｃが螺着若しくは嵌合可能に装着されて、施蓋できるようになっている。
【００４０】
本発明においては、内付け用の口栓部Ｂを取り付けた容器本体Ａの外面板の一部をなす前記上部板Ａ1 に対して、その内面側からハーフカット２１が刻切されている。
【００４１】
ハーフカット２１は、内付け用の口栓部Ｂを容器本体Ａから取り除くためのものであり、液体包装用として十分に機能する程度にハーフカッティングされ、ハーフカット２１は、連続線状、点線状、断続線状、部分線状などのいずれでもよく、その線の長さや形状や太さは、口栓部Ｂを容器本体Ａから取り除くことができる程度の最小限の長さ、形状、太さであれば十分である。
【００４２】
〔内付け口栓付き容器本体のハーフカットその１〕
ハーフカット２１は、図４に示すように、内付け用の口栓部Ｂのフランジ部１２の外周に沿って、容器本体Ａの外面板Ａ1 の最内面より内層に対して連続線状に刻切されている。
【００４３】
〔内付け口栓付き容器本体のハーフカットその２〕
ハーフカット２１は、図４に示すように、内付け用の口栓部Ｂのフランジ部１２の外周に沿って、容器本体Ａの外面板Ａ1 の最内面より内層に対して連続線状に刻切されているが、そのハーフカット２１の一部は、容器本体Ａの外面板の他の一部Ａ2 まで延設されていてもよい。そして、例えばその延設部分は、内表面を剥離するためのタブとなっていてもよい。
【００４４】
〔内付け口栓付き容器本体のハーフカットその３〕
ハーフカット２１は、図４に示すように、内付け用の口栓部Ｂのフランジ部１２近傍の適宜位置に、容器本体Ａの外面板Ａ1 若しくはそれに隣接する他の外面板に内面側より、連続線状又は点線状又は断続線状に、前記タブ２２部分に相当する形状に刻切されている。
【００４５】
〔容器本体と内付け用の口栓部について〕
図５（ａ）は、内付け用の口栓部Ｂと、該口栓部Ｂを取り付けた内付け口栓付き容器本体Ａを構成する外面板（例えば外面板Ａ1 ）の部分側断面図であり、液体抽出用の孔設部１１ａが貫設された内付け用の口栓部Ｂの抽出口部１１が、外面板Ａ1 に貫設した孔設部２３内に差し込み嵌合されている。
【００４６】
口栓部Ｂのフランジ部１２は、その上面が、その孔設部２３の周囲内面に重ね合わせされ、接着剤又は熱融着により貼着して取り付けられている。
【００４７】
〔内付け口栓付き容器本体の複合シートについて〕
容器本体Ａを構成する外面板Ａ1 を形成する複合シート３０の積層構造は、少なくとも紙基材シートと、その両面にラミネートされた１層乃至複数層の合成樹脂フィルム層と、その紙基材シートの容器内面側にラミネートされた前記合成樹脂フィルム層の内層にラミネートされたアルミニウム箔層とにより構成される。
【００４８】
なお、容器本体Ａを形成する複合シート３０は、この他に各種積層構造のものが使用でき、本発明においては上記以外は特に限定されるものではない。
【００４９】
図４（ａ）に示すように、例えば、紙基材シート層３１と、その両面にラミネートされたそれぞれポリエチレンフィルム層３２、３３と、容器本体Ａの内面側に相当する一方のポリエチレンフィルム層３３に順にラミネートされたアルミニウム箔層３４と、ポリエチレンテレフタレートフィルム層３５と、ポリエチレン層３６となっている。
【００５０】
〔内付け用口栓部の材料〕
図４（ａ）に示すように、上記複合シート３０により形成された容器本体Ａの外面板Ａ1 は、最内面にポリエチレンフィルム層３６を備え、前記口栓部Ｂのフランジ２１の上面は、該ポリエチレンフィルム層３６の面に貼着固定されるために、口栓部Ｂの材料若しくは少なくともそのフランジ部１２の上面を構成する材料には、ポリエチレン樹脂若しくはこの樹脂に対して接着性、融着性のある材料が使用される。
【００５１】
なお、複合シート３０の最内面に、ポリエチレンフィルム層３６に換えて、例えばポリエチレンテレフタレートフィルム層を積層した場合は、口栓部Ｂの材料若しくは少なくともそのフランジ部１２の上面を構成する材料として、ポリエチレンテレフタレート樹脂若しくはこの樹脂に対して接着性、融着性のある材料（ブレンド樹脂など）が使用される。
【００５２】
〔内付け用の口栓部におけるハーフカットの詳細〕
ハーフカット２１は、図５（ａ）に示すように、少なくとも、内付け用の口栓部Ｂを取り付けた外面板Ａ1 のアルミニウム箔層３４より内面側の合成樹脂フィルム層であるポリエチレンテレフタレートフィルム層３５と最内面のポリエチレンフィルム層３６、若しくは該ポリエチレンテレフタレートフィルム層３５とアルミニウム箔層３４との貼り合わせ界面まで到達するように刻切されている。
【００５３】
また、図５（ｂ）に示すように、ハーフカット２１を被覆するように、合成樹脂フィルムなどのリング状の被覆フィルム１３をハーフカット２１部分に、若しくはハーフカット２１部分とフランジ部１２とに亘って、貼着するようにしてもよい。
【００５４】
〔内付け口栓部の除去〕
本発明の内付け口栓付き液体紙容器の容器本体Ａから、内付け用の口栓部Ｂを取り除く際は、図５（ａ）に示すように、不用となった容器本体Ａの外面板Ａ1 における内付け用の口栓部Ｂのフランジ部１２を僅かに外れた外側領域の一部を容器本体内方に向かって押さえながら、前記押さえた領域側の突出する口栓部Ｂの抽出口部１１の先端部を、前記押さえた領域側と反対の方向の横方向に押すことにより、口栓部Ｂ全体を横に倒すようにして、アルミニウム箔層３４より内面側の合成樹脂フィルム層（図５（ａ）においてはポリエチレンテレフタレートフィルム層３５と口栓部Ｂのフランジ部１２を貼着した最内面のポリエチレンフィルム層３６と）を引っ張る。
【００５５】
また、不用となった上記容器本体Ａから内付け用の口栓部Ｂを取り除く際は、図５（ａ）に示すように、容器本体Ａの外面板Ａ1 における口栓部Ｂのフランジ部１２を僅かに外れた外側領域全体を、容器本体内方に向かって押さえながら、突出する口栓部Ｂの抽出口部１１の先端部を容器内方に押し込むか、又は前後左右に揺動し口栓部Ｂ全体を横に倒すようにして、アルミニウム箔層３４より内面側の合成樹脂フィルム層（図５（ａ）においてはポリエチレンテレフタレートフィルム層３５と口栓部Ｂのフランジ部１２を貼着した最内面のポリエチレンフィルム層３６と）を引っ張る。
【００５６】
また、不用となった上記容器本体Ａから口栓部Ｂを取り除く際は、容器本体Ａを、容器形状から平坦なシート状（ブランクシート状）に解体した後、該容器本体Ａの外面板Ａ1 の内面側に刻切されているハーフカット２１の一部分より、ハーフカット２１端部、又はタブ２２端部を、爪などにより立ち起こして、アルミニウム箔層３４より内面側の合成樹脂フィルム層（図５（ａ）においてはポリエチレンテレフタレートフィルム層３５と口栓部Ｂのフランジ部１２を貼着した最内面のポリエチレンフィルム層３６と）を引っ張る。
【００５７】
これにより、アルミニウム箔層３４より内面側の合成樹脂フィルム層（図５（ａ）においてはポリエチレンテレフタレートフィルム層３５と口栓部Ｂのフランジ部１２を貼着した最内面のポリエチレンフィルム層３６と）は引っ張られて、図５（ｃ）に示すように、ハーフカット２１部分より口栓部Ｂ側にあるフランジ部１２を貼着した内面の合成樹脂フィルム層（３５、３６）がアルミニウム箔層３４より剥離するとともに、ハーフカット２１を介して内側と外側にあるそれぞれ内面の合成樹脂フィルム層（３５、３６）は破断して、口栓部Ｂは、容器本体Ａの内面から切り離され自由状態となる。
【００５８】
自由状態となった口栓部Ｂのフランジ部１２は、容器本体Ａの外面板Ａ1 に孔設された孔設部２３よりも径が大きいため、口栓部Ｂは、容器本体Ａを解体して取り出すか、若しくは、容器本体Ａを解体せずに、口栓部Ｂのフランジ部１２によって孔設部２３を拡げるようにして、容器本体Ａ内より口栓部Ｂを取り出すものである。
【００５９】
〔フランジ部の周縁の各種平面形状について〕
本発明の液体紙容器に取り付ける口栓部Ｂのフランジ部１２の平面形状は、円形状、多角形状など各種の形状のものが使用できる。
【００６０】
一例として図６（ａ）〜（ｄ）の平面図に示すように、例えば、図６（ａ）のように真円形状フランジ部１２、図６（ｂ）のように円形状の周縁の一部に鋭角な突出部１２ａを有するフランジ部１２、図６（ｃ）のように概略五角形状であってその１角に鈍角な角張り部１２ｂを備えたフランジ１２、また、図６（ｄ）のように円形状の周縁の一部に鋸歯状部１２ｃを備えたフランジ部１２などである。
【００６１】
〔ハーフカットの各種平面形状について〕
容器本体Ａの口栓部Ｂを取り付けた外面板の外面又は内面に刻切するハーフカット２１は、取り付けられる口栓部Ｂのフランジ１２の形状によっても、各種の形状が実施できる。
【００６２】
一例として図７（ａ）〜（ｆ）の平面図に示すように、例えば、図７（ａ）のように真円形状フランジ部１２の周縁に沿って、点線で示すような形状に、連続線、点線、断続線として刻切されたハーフカット２１、図７（ｂ）のように真円形状フランジ部１２の周縁に沿い且つその一部の周縁より外側にタブ状に、点線で示すような形状に、連続線、点線、断続線として刻切されたタブ２２を備えたハーフカット２１、図７（ｃ）のように真円形状フランジ部１２の周縁に沿い且つその一部の周縁より外側に放射状のタブ状に、点線で示すような形状に、連続線、点線、断続線として刻切された複数の放射状のタブ２２を備えたハーフカット２１、図７（ｄ）のように円形状の周縁の一部に鋭角な突出部１２ａを有するフランジ部１２の周縁に沿って、点線で示すような形状に、連続線、点線、断続線として刻切されたハーフカット２１、図７（ｅ）のように概略五角形状であってその１角に鈍角な角張り部１２ｂを備えたフランジ１２の周縁に沿って点線で示すような形状に、連続線、点線、断続線として刻切されたハーフカット２１、また、図７（ｆ）のように円形状の周縁の一部に鋸歯状部１２ｃを備えたフランジ部１２の周縁に沿って点線で示すような形状に、連続線、点線、断続線として刻切されたハーフカット２１などである。
【００６３】
〔フランジ部の形状とハーフカットの形状について〕
上記ハーフカット２１のうち、図７（ｂ）〜（ｃ）は、タブ２２を備えたものであり、上記タブ２２は上記ハーフカット２１により形成され、そのタブ２２端部を立ち起こして、容器本体Ａの口栓部Ｂを取り付けた外面板の最外面の合成樹脂フィルム層、又は該合成樹脂フィルム層と紙基材シート層とを引っ張って剥離して、口栓部Ｂを容器本体Ａから取り除くためのものである。
【００６４】
また、上記タブ２２は、その端部を立ち起こして、容器本体Ａの口栓部Ｂを取り付けた外面板の最内面の合成樹脂フィルム層を引っ張って剥離するためのものである。
【００６５】
上記ハーフカット２１のうち、図７（ｄ）〜（ｆ）は、そのハーフカット２１の領域内に取り付けた口栓部Ｂのフランジ部１２に、鋭角部若しくは鈍角部、又は鋸歯状部を備えたものであり、口栓部Ｂの抽出口部１１に対して、それら鋭角部若しくは鈍角部又は鋸歯状部の側に倒すような外力、又はそれとは反対側に倒すような外力を加えることによって、該鋭角部若しくは鈍角部又は鋸歯状部に沿うハーフカット２１に局部的に集中応力が掛かり、これによって、口栓部Ｂを容器本体Ａから剥離させるための動機付け、原因を付与させるためのものである。
【００６６】
〔タブの形状について〕
図３に示す外付け口栓付き容器本体Ａのように、口栓部Ｂを囲むようにして外面板Ａ1 若しくはそれに隣接する他の外面板に外面側より、連続線状又は点線状又は断続線状に刻切するハーフカット２１の一部として形成するタブ２２、あるいは口栓部Ｂの近傍にハーフカット２１の全部として形成するタブ２２の形状、また図４に示す内付け口栓付き容器本体Ａのように、口栓部Ｂを囲むようにして外面板Ａ1 若しくはそれに隣接する他の外面板に内面側より、連続線状又は点線状又は断続線状に刻切するハーフカット２１の一部として形成するタブ２２に相当するタブ（図示せず）の形状は、各種の形状が実施できる。
【００６７】
あるいは図３に示す外付け口栓付き容器本体Ａの口栓部Ｂの近傍の適宜位置にその外面板Ａ1 若しくはそれに隣接する他の外面板に外面側より、連続線状又は点線状又は断続線状に刻切するハーフカット２１の全部として形成するタブ２２の形状、また図４に示す内付け口栓付き容器本体Ａの口栓部Ｂの近傍の適宜位置にその外面板Ａ1 若しくはそれに隣接する他の外面板に内面側より、連続線状又は点線状又は断続線状に刻切するハーフカット２１の全部として形成するタブ２２の形状は、各種の形状が実施できる。
【００６８】
一例として、図８（ａ）〜（ｃ）の部分平面図に示すように、例えば、図８（ａ）のように部分円形状のタブ２２、図８（ｂ）のように逆台形状のタブ２２、図８（ｃ）のように１角形状のタブ２２などである。
【００６９】
【発明の効果】
本発明の口栓付き液体紙容器は、使用後に不用となって再生処理加工する際において、従来のような多大な時間と労力を必要とせずに、紙基材シートを主体とする容器本体からプラスチック製の口栓部を比較的容易な操作によって除去して分離させることができ、使用後において再生処理や廃棄処理する場合の処理操作を容易にすることができる効果がある。
【図面の簡単な説明】
【図１】本発明の口栓付き液体紙容器の外付け口栓による外観斜視図である。
【図２】（ａ）は本発明の口栓付き液体紙容器の外付け口栓部の部分側断面図、（ｂ）は本発明の口栓付き液体紙容器の他の外付け口栓部の部分側断面図、（ｃ）は本発明の口栓付き液体紙容器の他の外付け口栓部の部分側断面図、（ｄ）は本発明の口栓付き液体紙容器から外付け口栓部を除去する状態を説明する部分側断面図である。
【図３】本発明の口栓付き液体紙容器の他の外付け口栓部の外観斜視図である。
【図４】本発明の口栓付き液体紙容器の内付け口栓による外観斜視図である。
【図５】（ａ）は本発明の口栓付き液体紙容器の内付け口栓部の部分側断面図、（ｂ）は本発明の口栓付き液体紙容器の内付け口栓部の他の部分側断面図、（ｃ）は本発明の口栓付き液体紙容器から外付け口栓部を除去する状態を説明する部分側断面図である。
【図６】本発明の口栓付き液体紙容器の口栓部におけるフランジ部の平面図である。
【図７】本発明の口栓付き液体紙容器の口栓部におけるフランジ部とハーフカットの平面図である。
【図８】本発明の口栓付き液体紙容器のハーフカットによるタブの平面図である。
【符号の説明】
Ａ…容器本体  Ａ1 、Ａ2 …外面板  Ｂ…口栓部  Ｃ…施蓋部
１１…抽出口部  １１ａ…孔設部  １２…フランジ部  １２ａ…鋭角な突出部
１２ｂ…鈍角な突出部  １２ｃ…鋸歯状部  １３…被覆フィルム  １４…円筒体
２１…ハーフカット  ２２…タブ  ２３…孔設部
３０…複合シート  ３１…紙  ３２…ポリエチレンフィルム層
３３…ポリエチレンフィルム層  ３４…アルミニウム箔層
３５…ポリエチレンテレフタレートフィルム層  ３６…ポリエチレンフィルム層
３７…リング状フィルム  ３８…内貼りフィルム
【図１】
0003692590.tif 000002
【図２】
0003692590.tif 000003
【図３】
0003692590.tif 000004
【図４】
0003692590.tif 000005
【図５】
0003692590.tif 000006
【図６】
0003692590.tif 000007
【図７】
0003692590.tif 000008
【図８】
0003692590.tif 000009